(57)【特許請求の範囲】
【請求項１】
器具本体と、この器具本体に配置される光源と、この光源の周りを覆い配光制御する反射板と、前記器具本体に固定具により取付けられて前記反射板を取付ける取付板とを備え、前記取付板と前記器具本体の少なくとも一方に前記固定具が貫通する長孔を設け、前記器具本体と前記取付板、前記固定具と前記取付板、および前記固定具と前記器具本体の少なくともいずれかの間に弾性体を介在し、前記固定具が前記長孔を移動できる範囲で、前記反射板を取付けた前記取付板が前記器具本体に対し前記弾性体による摩擦係止に抗して可動であることを特徴とする照明器具。
【請求項２】
前記光源を装着するランプソケットを前記反射板に設けた請求項１記載の照明器具。
【請求項３】
前記反射板と前記取付板は２枚重ねに組み合わされている請求項１記載の照明器具。
【請求項４】
器具本体と、この器具本体に配置される光源と、前記器具本体に固定具により取付けられて前記光源の周りを覆い配光制御する反射板とを備え、前記器具本体に前記固定具が貫通する長孔を設け、前記器具本体と前記反射板、前記固定具と前記反射板、および前記固定具と前記器具本体の少なくともいずれかの間に弾性体を介在し、前記固定具が前記長孔を移動できる範囲で、前記反射板が前記器具本体に対し前記弾性体による摩擦係止に抗して可動であることを特徴とする照明器具。
【請求項５】
前記光源を装着するランプソケットから引き出したリード線の貫通孔を前記取付板の両端部に設けた請求項１、請求項２、または請求項３記載の照明器具。
【発明の詳細な説明】
【０００１】
【発明の属する技術分野】
この発明は、照明器具に関するものである。
【０００２】
【従来の技術】
反射板を内蔵した灯具が可動な従来例を図８に示す。すなわち、器具外郭１００をつまみねじ１０２を介して接続器１０３に回動可能に設け、接続器１０３を配線ダクト１０４に接続している。
【０００３】
つまみねじ１０２を緩めて機械的な締め付けを解除することにより、灯具の器具外殻１００を回動させその反射板１０７ａを回動することができる。１０５はランプ、１０６は安定器である。
【０００４】
図９は反射板１０７ｂを取付部材１０８につまみねじ１０２を介して回動可能に取付けている。反射板１０７ｂの内側にはランプ（図示せず）が配置される。
【０００５】
【発明が解決しようとする課題】
しかし、これらの照明器具は、反射板１０７ａ、１０７ｂの可動操作において、つまみねじ１０２を緩めなければならないため操作性が悪い。またつまみねじ１０２が反射板１０７ａ、１０７ｂの外郭にでているため、意匠が損なわれる。
【０００６】
したがって、この発明の目的は、つまみねじ等を緩める操作を必要とせずに反射板が可動な照明器具を提供することである。
【０００７】
【課題を解決するための手段】
請求項１記載の照明器具は、器具本体と、この器具本体に配置される光源と、この光源の周りを覆い配光制御する反射板と、前記器具本体に固定具により取付けられて前記反射板を取付ける取付板とを備え、前記取付板と前記器具本体の少なくとも一方に前記固定具が貫通する長孔を設け、前記器具本体と前記取付板、前記固定具と前記取付板、および前記固定具と前記器具本体の少なくともいずれかの間に弾性体を介在し、前記固定具が前記長孔を移動できる範囲で、前記反射板を取付けた前記取付板が前記器具本体に対し前記弾性体による摩擦係止に抗して可動であることを特徴とするものである。
【０００８】
請求項１記載の照明器具によれば、反射板の取付板と器具本体の少なくとも一方に長孔を設け、この長孔を貫通する固定具で器具本体と取付板、固定具と取付板、固定具と器具本体の少なくともいずれかの間に弾性体を介在させた構成により、反射板に可動させるための力を加えるだけで照射方向に向けることが可能となり、操作性を大幅に向上させることができる。また反射板の反射面に可動のために要する長孔や操作部等を必要としないため反射効率を高めることができる。反射板の外郭につまみねじや操作部等を必要としないため意匠を高めることができる。
【０００９】
請求項２記載の照明器具は、請求項１において、前記光源を装着するランプソケットを前記反射板に設けたものである。
【００１０】
請求項２記載の照明器具によれば、請求項１と同様な効果のほか、ランプソケットが反射板とともに可動となり、反射板の回動の妨げにならない。
【００１１】
請求項３記載の照明器具は、請求項１において、前記反射板と前記取付板は２枚重ねに組み合わされているものである。
【００１２】
請求項３記載の照明器具によれば、請求項１と同様な効果がある。
【００１３】
請求項４記載の照明器具は、器具本体と、この器具本体に配置される光源と、前記器具本体に固定具により取付けられて前記光源の周りを覆い配光制御する反射板とを備え、前記器具本体に前記固定具が貫通する長孔を設け、前記器具本体と前記反射板、前記固定具と前記反射板、および前記固定具と前記器具本体の少なくともいずれかの間に弾性体を介在し、前記固定具が前記長孔を移動できる範囲で、前記反射板が前記器具本体に対し前記弾性体による摩擦係止に抗して可動であることを特徴とするものである。
【００１４】
請求項４記載の照明器具によれば、請求項１と同様な効果のほか、取付板が不要になる。
【００１５】
請求項５記載の照明器具は、請求項１、請求項２、または請求項３において、前記光源を装着するランプソケットから引き出したリード線の貫通孔を前記取付板の両端部に設けたものである。
【００１６】
請求項５記載の照明器具によれば、請求項１、請求項２、または請求項３と同様な効果がある。
【００１７】
【発明の実施の形態】
この発明の第１の実施の形態を図１から図４により説明する。すなわち、この照明器具は、器具本体１と、光源２と、反射板３とを有する。
【００１８】
器具本体１は、長方体形状をなし、配線ダクト（図示せず）に嵌合する溝部５を上面に形成し、側部に反射板３を取付けるための取付部４を設けた構成である。溝部５内には両端部に接続器６を設け、接続器６により配線ダクト（図示せず）に器具本体１を取付けるとともに給電のための電気接続を行う。溝部５のほぼ中央部には安定器７を収納している。取付台部４は複数個所に取付台８を設け、取付台８にねじ孔を形成している。
【００１９】
光源２は器具本体１に配置されるもので、実施の形態では直管形ランプ、例えば直管蛍光ランプであり、反射板３の前面に配置される。
【００２０】
反射板３は、光源２の周りを覆い配光制御するもので、断面略逆Ｕ字形に形成されている。反射板３の両端部には内向きにランプソケット１０が設けられ、ランプソケット１０に光源２が装着される。
【００２１】
取付板１１は器具本体１に設けた取付台８に固定具１３により取付けられて反射板３を取付けるものである。実施の形態の取付板１１は反射板３の外面に被さる略逆Ｕ字形である。取付板１１の両端に受け段を形成し、取付板１１内に反射板３を挿入し、反射板３を受け段に係止して取付板１１内に保持し、取付板１１と反射板３とで２枚重ねに組み合わされている。この取付板１１に固定具１３が貫通する長孔１４を取付板１１の長手方向に直交する方向に設けている。
【００２２】
弾性体１２は、器具本体１の取付部４と取付板１１の間に介在し、反射板３を可動状態に器具本体１に取り付けるものである。実施の形態では略Ｌ字形に折曲された板状であり、各取付台８に隣接して配置され、内側に取付板１１の外面が当接し、屈曲部１２ａに取付部４の内面が当接するように取付板１１と取付部４との間に弾性介在しこれらに摩擦係止している。
【００２３】
固定具１３は頭付ねじであり、取付板１１の長孔１４を貫通して取付台８のねじ孔にねじ込んで取付板１１を取付台８に連結し、弾性体１２を弾性変形する。このように、取付板１１側に長孔１４を設け、この長孔１４を貫通する固定具１３で、取付部４と取付板１１の間に弾性体１２を介在させて、固定具１３の締め付けと弾性体１２の弾力で反射板３の取付板１１に常時テンションをかけておくことにより、取付板１１が弾性体１２と摩擦係止するが、取付板１１したがって反射板３が長孔１４の範囲内で可動状態になるように器具本体１に取り付けた構成をとっている。
【００２４】
図３は図２から矢印Ａの方向に取付板１１を押して略水平姿勢に取付板１１および反射板３を回転した状態である。図４は図２から矢印Ｂの方向に取付板１１を押して垂直に近づく方向に取付板１１および反射板３を回転した状態である。
【００２５】
第１の実施の形態によれば、反射板３の取付板１１と器具本体１の少なくとも一方に長孔１４を設け、この長孔１４を貫通する固定具１３で器具本体１と取付板１１の間に弾性体１２を介在させた構成により、反射板３に可動させるための力を加えるだけで照射方向に向けることが可能となり、操作性を大幅に向上させることができる。また反射板３の反射面に可動のために要する長孔や操作部等を必要としないため反射効率を高めることができる。反射板３の外郭につまみねじや操作部等を必要としないため意匠を高めることができる。
【００２６】
この発明の第２の実施の形態を図５に示す。第１の実施の形態との違いは、器具本体１に設けた取付台８側に長孔１４を設け、この長孔１４を貫通する固定具１３で、取付部４と反射板３の間に弾性体１２を介在させて、固定具１３の締め付けと弾性体１２の弾力で反射板３に常時テンションをかけておくことにより反射板３が長孔範囲内で可動状態になるように器具本体１に取り付けた構成をとっている。この場合、第１の実施の形態と比較して取付板１１が不要となり反射板３のみの構成をとっている。
【００２７】
この発明の第３の実施の形態を図６に示す。第１の実施の形態との違いは、反射板３の取付板１１側に長孔１４を設け、この長孔１４を貫通する固定具１３で、固定具１３の頭部と取付板１１の間に平板状の弾性体１２ａを介在させて、固定具１３の締め付けと弾性体１２ａの弾力で取付板１１に常時テンションをかけておくことにより反射板３が長孔範囲内で可動状態になるように器具本体１に取り付けた構成をとっている。
【００２８】
この発明の第４の実施の形態を図７に示す。すなわち、第１の実施の形態において、ランプソケット１０からでてくるリード線１９の貫通孔２０を取付板１１の両端部に設けている。
【００２９】
なお、この発明において、長孔１４は器具本体１と取付板１１の片方のみならず、両方に設けてもよい。また弾性体１２は器具本体１と取付板１１の間、固定具１３と取付板１１の間のみならず、固定具１３と器具本体１との間に介在してもよい。第２の実施の形態においても、弾性体１２は固定具１３と反射板３の間または固定具１３と器具本体１の間に介在してもよい。
【００３０】
【発明の効果】
請求項１記載の照明器具によれば、反射板の取付板と器具本体の少なくとも一方に長孔を設け、この長孔を貫通する固定具で器具本体と取付板、固定具と取付板、固定具と器具本体の少なくともいずれかの間に弾性体を介在させた構成により、反射板に可動させるための力を加えるだけで照射方向に向けることが可能となり、操作性を大幅に向上させることができる。また反射板の反射面に可動のために要する長孔や操作部等を必要としないため反射効率を高めることができる。反射板の外郭につまみねじや操作部等を必要としないため意匠を高めることができる。
【００３１】
請求項２記載の照明器具によれば、請求項１と同様な効果のほか、ランプソケットが反射板とともに可動となり、反射板の回動の妨げにならない。
【００３２】
請求項３記載の照明器具によれば、請求項１と同様な効果がある。
【００３３】
請求項４記載の照明器具によれば、請求項１と同様な効果のほか、取付板が不要になる。
【００３４】
請求項５記載の照明器具によれば、請求項１、請求項２、または請求項３と同様な効果がある。
【図面の簡単な説明】
【図１】この発明の第１の実施の形態の一部省略平面図である。
【図２】拡大断面図である。
【図３】反射板を図２から一方向に回転した状態の断面図である。
【図４】反射板を図２から他方向に回転した状態の断面図である。
【図５】第２の実施の形態の断面図である。
【図６】第３の実施の形態の断面図である。
【図７】第４の実施の形態を前面側からみた部分下面図である。
【図８】（ａ）は従来例の正面図、（ｂ）はその側面図である。
【図９】（ａ）は他の従来例の部分正面図、（ｂ）はその側面図である。
【符号の説明】
１    器具本体
２    光源
３    反射板
４    取付部
５    溝部
１０    ランプソケット
１１    取付板
１２    弾性体
１２ａ    弾性体
１３    固定具
１４    長孔
１９    リード線
２０    貫通孔
【図１】
0004051898.tif 000002
【図２】
0004051898.tif 000003
【図３】
0004051898.tif 000004
【図４】
0004051898.tif 000005
【図５】
0004051898.tif 000006
【図６】
0004051898.tif 000007
【図７】
0004051898.tif 000008
【図８】
0004051898.tif 000009
【図９】
0004051898.tif 000010